(57)【要約】【課題】スレート波板の屋根の防水性を保ちつつ、高い施工性を有する太陽電池アレイを提供する。【解決手段】  基体に支持されて、山部および谷部を有するスレート波板の上に固定される架台と、該架台に固定された太陽電池モジュールと、を備えている太陽電池アレイであって、前記架台は、支持部材と、前記スレート波板の上方に配置された雌ねじ部材と、該雌ねじ部材に締結されて、前記支持部材および前記スレート波板の前記山部のそれぞれに挿通された棒状の雄ねじ部材とを備えており、該雄ねじ部材は、該雄ねじ部材の長手方向の一端部を含む部位に、前記基体に締結された第１雄ねじ部を有し、前記長手方向の他端部を含む部位に、前記雌ねじ部材に締結された第２雄ねじ部を有するものであり、前記支持部材は、前記雌ねじ部材と前記第２雄ねじ部との締結によって、前記スレート波板から離れた位置で固定されている。【選択図】  図１
2015028257.tif 000002
【特許請求の範囲】
【請求項１】
基体に支持されて、山部および谷部を有するスレート波板の上に固定される架台と、該架台に固定された太陽電池モジュールと、を備えている太陽電池アレイであって、
前記架台は、支持部材と、前記スレート波板の上方に配置された雌ねじ部材と、該雌ねじ部材に締結されて、前記支持部材および前記スレート波板の前記山部のそれぞれに挿通された棒状の雄ねじ部材とを備えており、
該雄ねじ部材は、該雄ねじ部材の長手方向の一端部を含む部位に、前記基体に締結された第１雄ねじ部を有し、前記長手方向の他端部を含む部位に、前記雌ねじ部材に締結された第２雄ねじ部を有するものであり、
前記支持部材は、前記雌ねじ部材と前記第２雄ねじ部との締結によって、前記スレート波板から離れた位置で固定されている、太陽電池アレイ。
【請求項２】
前記雄ねじ部材は、前記第１雄ねじ部がタッピングねじである、請求項１に記載の太陽電池アレイ。
【請求項３】
前記雄ねじ部材は、複数の部品で組み合わせられている、請求項１または２に記載の太陽電池アレイ。
【請求項４】
前記支持部材は、前記スレート波板に対面する側に前記山部を覆う凹状部を有している、請求項１乃至３のいずれかに記載の太陽電池アレイ。
【請求項５】
前記支持部材は、前記スレート波板の前記山部の頂部と前記谷部の底部との間の部位を覆うスカート部を有している、請求項１乃至４のいずれかに記載の太陽電池アレイ。
【請求項６】
前記雌ねじ部材は、第１雌ねじ部および第２雌ねじ部を有するものであり、前記第１雌ねじ部は前記支持部材の下面側に位置して、前記第２雌ねじ部は前記支持部材の上面側に位置して、前記第１雌ねじ部および前記第２雌ねじ部で前記支持部材を挟んでいる、請求項１乃至５のいずれかに記載の太陽電池アレイ。
【請求項７】
前記基体として上板部および下板部を有する溝形鋼を用いる場合に、前記第１雄ねじ部が前記溝形鋼の前記上板部および前記下板部を貫通する長さを有している請求項１乃至６のいずれかに記載の太陽電池アレイ。
【発明の詳細な説明】
【技術分野】
【０００１】
本発明は、太陽電池モジュールを有する太陽電池アレイに関する。
【背景技術】
【０００２】
近年の環境保護の機運の高まりに伴い、環境負荷の少ない太陽光発電が注目されている。そして、太陽光発電の普及拡大のために、屋根に設置される太陽電池アレイが注目されている。このような太陽電池アレイは屋根材の特徴に適した構造であることが求められる。
【０００３】
例えば屋根材の一種としてスレート波板が知られている。スレート波板とは、セメントに補強繊維を混練して波板状に成形した屋根材であり、工場および倉庫などの大型の建物に広く用いられている。通常、工場および倉庫の屋根は広い受光面積を確保できることから、スレート波板を葺いた屋根への太陽電池アレイの設置が強く求められている。一方、スレート波板は他の種類の屋根材と比較して強度が低いことから、太陽電池アレイにはスレート波板に加わる応力を低減できる構造が求められている。
【０００４】
例えば、スレート波板に加わる応力を低減するために、太陽電池アレイをスレート波板の複数の山部で支持させて、応力を分散する技術が提案されている（例えば、下記の特許文献１を参照）。
【先行技術文献】
【特許文献】
【０００５】
【特許文献１】特開２０１２−１４９４１１号公報
【発明の概要】
【発明が解決しようとする課題】
【０００６】
上記特許文献の太陽電池アレイは、スレート波板の複数の山部に太陽電池アレイの自重および外力を分散させることで、スレート波板の破損を抑制する構造である。しかし、スレート波板は経年劣化に伴って強度低下を生じることから、経年劣化したスレート波板に大きな負荷がかかると屋根の防水構造が破損するおそれがある。
【０００７】
本発明は上述した課題に鑑みてなされたものであり、その目的の一つは簡易な構造と施工とによって屋根材として用いたスレート波板にかかる負荷を低減して長期間の防水性を維持することができる太陽電池アレイを提供することにある。
【課題を解決するための手段】
【０００８】
本発明の太陽電池アレイは、基体に支持されて、山部および谷部を有するスレート波板の上に固定される架台と、該架台に固定された太陽電池モジュールと、を備えている太陽電池アレイであって、前記架台は、支持部材と、前記スレート波板の上方に配置された雌ねじ部材と、該雌ねじ部材に締結されて、前記支持部材および前記スレート波板の前記山部のそれぞれに挿通された棒状の雄ねじ部材とを備えており、該雄ねじ部材は、該雄ねじ部材の長手方向の一端部を含む部位に、前記基体に締結された第１雄ねじ部を有し、前記長手方向の他端部を含む部位に、前記雌ねじ部材に締結された第２雄ねじ部を有するものであり、前記支持部材は、前記雌ねじ部材と前記第２雄ねじ部との締結によって、前記スレート波板から離れた位置で固定されている。
【発明の効果】
【０００９】
上記構成の太陽電池アレイによれば、支持部材が雄ねじ部材の他端部に設けられた第２雄ねじ部によりスレート波板から離隔して固定させることができて、太陽電池アレイの自重または積雪荷重などの外力が基体によって支持されて、スレート波板に大きな負荷が加わらない構造にできる。
【００１０】
これにより、太陽電池アレイからスレート波板へ加わる荷重によるスレート波板の破損がないように屋根の防水性を保つことが可能な信頼性の高い太陽電池アレイを提供できる。
【図面の簡単な説明】
【００１１】
【図１】図１は本発明の一実施形態に係る太陽電池アレイをスレート波板が葺かれた屋根に設置した様子を示す斜視図である。
【図２】図２は本発明の一実施形態に係る太陽電池アレイを構成する太陽電池モジュールを示す図であり、図２（ａ）は太陽電池モジュールを受光面側から見た平面図であり、図２（ｂ）は図２（ａ）のＡ−Ａ’線で切断した断面を示す断面図である。
【図３】図３は本発明の一実施形態に係る太陽電池アレイの断面図であり、図３（ａ）は図１のＢ−Ｂ’線で切断した断面を示す断面図であり、図３（ｂ）は図１のＣ−Ｃ’線で切断した断面を示す断面図である。
【図４】図４は本発明の一実施形態に係る太陽電池アレイを分解して示す斜視図である。
【図５】図５は本発明の一実施形態に係る太陽電池アレイの雄ねじ部材を抜き出して示す側面図である。
【図６】図６は本発明の一実施形態に係る太陽電池アレイの支持部材を抜き出して示す斜視図である。
【図７】図７は本発明の一実施形態に係る太陽電池アレイの断面図であり、図３（ｂ）に相当する断面位置で見た断面図である。
【図８】図８は本発明の他の実施形態に係る太陽電池アレイを示す図であり、図３（ｂ）に相当する断面図である。
【図９】図９は本発明の他の実施形態に係る太陽電池アレイを構成する雄ねじ部材および第１雌ねじ部材を抜き出して示す側面図である。
【図１０】図１０は本発明の他の実施形態に係る太陽電池アレイの雄ねじ部材を抜き出して示す図であり、図１０（ａ）は図５に相当する側面図であり、図１０（ｂ）は図１０（ａ）の雄ねじ部材の中心軸を含む面における断面図である。
【発明を実施するための形態】
【００１２】
以下、本発明に係る太陽電池アレイの実施形態について図面を参照しつつ詳細に説明する。なお、図面は模式的に示されたものであり、各図における各種構造のサイズおよび位置関係等は適宜変更し得る。
【００１３】
≪第１実施形態≫
＜太陽電池アレイ＞
図１に示すように、太陽電池アレイ１は、例えば傾斜した屋根２上に固定される。屋根２は、互いに平行に配置された複数の基体である構造材２ａと、構造材２ａ上に傾斜して固定された屋根材として用いられるスレート波板２ｂよりなる。なお、スレート波板２ｂとは、セメントに石綿などの補強繊維を混練して、列状の山部２ｂ１と列状の谷部２ｂ２とが交互に配された波板状の屋根材である。屋根２を平面視すると、スレート波板２ｂの山部２ｂ１および谷部２ｂ２からなる列が、スレート波板２ｂの傾斜方向に平行に配置されているとともに、構造材２ａに対して直交するように配置されている。また、構造材２ａは、スレート波板を支持できるものであれば材質を問わないが、例えば亜鉛めっき鋼板からなるリップ溝形鋼である。
【００１４】
また、太陽電池アレイ１は、スレート波板２ｂの上に固定される架台２１と、架台２１に固定された太陽電池モジュール１０とを備えている。
【００１５】
なお、以下では屋根２の傾斜方向をｙ軸方向、屋根２に対する法線方向をｚ軸方向、ｙ軸方向およびｚ軸方向と直交する方向をｘ軸方向という。また、屋根２の傾斜の高い側を＋ｙ軸方向、屋根２の傾斜の低い側を−ｙ軸方向といい、屋根２から太陽電池アレイ１へ向かう方向を＋ｚ軸方向または上といい、その逆の方向を−ｚ軸方向または下という。
【００１６】
＜太陽電池モジュール＞
図１および図２を用いて、太陽電池アレイ１の構成要素である太陽電池モジュール１０について説明する。図１に示すように、複数の太陽電池モジュール１０は、ｘ軸方向に沿って配列されているとともに、ｙ軸方向にも沿って配列されている。そして、図２に示すように、各太陽電池モジュール１０は、太陽電池パネル１１と、この太陽電池パネル１１の外縁部を補強するフレーム１２とを有している。
【００１７】
図２（ｂ）に示すように、太陽電池パネル１１は、主として光を受光する第１主面（受光面）１１ａ（透光性基板１３の一主面）と、この第１主面１１ａの裏面に相当する第２主面（非受光面）１１ｂ（裏面保護部材１７の一主面）とを有している。そして、太陽電池パネル１１は、第１主面１１ａ側から順に、太陽電池モジュール１０の基板を兼ねる透光性基板１３と、熱硬化性樹脂よりなる一対の封止材１４と、封止材１４に周囲を保護されインナーリード１５とによって、電気的に接続された複数の太陽電池素子１６とを備えている。
【００１８】
さらに、太陽電池パネル１１は、太陽電池モジュール１０の裏面を保護する裏面保護部材１７と、太陽電池素子１６で得られた出力を外部に取り出すための端子ボックス１８とを備えている。
【００１９】
なお、太陽電池パネル１１の第２主面１１ｂは、例えば、裏面保護部材１７、および太陽電池素子１６と裏面保護部材１７との間に位置する封止材１４のそれぞれを、透光性を有するような材質で構成することによって、第２主面１１ｂ側から入射される光の一部を受ける形態であってもよい。
【００２０】
太陽電池素子１６は、例えば、単結晶シリコンまたは多結晶シリコン等からなる平板状の基板が用いられる。このようなシリコン基板を用いる場合は、上述したように、インナーリード１５で隣接するシリコン基板同士を電気的に接続すればよい。
【００２１】
また、太陽電池素子１６の種類は特に制限されない。例えば、太陽電池素子１６として、アモルファスシリコンよりなる薄膜太陽電池、ＣＩＧＳ太陽電池、ＣｄＴｅ太陽電池、または、結晶シリコン基板上に薄膜アモルファスを形成した太陽電池素子１６等を用いてもよい。例えば、アモルファスシリコン、ＣＩＧＳおよびＣｄＴｅよりなる太陽電池素子１６としては、透光性基板１３上において、アモルファスシリコン層、ＣＩＧＳ層またはＣｄＴｅ層を透明電極等と組み合わせて適宜積層するようにしたものが利用できる。
【００２２】
また、端子ボックス１８は、変性ポリフェニレンエーテル樹脂（変性ＰＰＥ樹脂）またはポリフェニレンオキサイド樹脂（ＰＰＯ樹脂）の箱体と、該箱体内に配置されるターミナル板と、箱体の外部へ電力を導出する出力ケーブルとを備えている。
【００２３】
フレーム１２は、太陽電池パネル１１を保持する機能を有する。フレーム１２は、後述する太陽電池アレイ１の設置の際に、太陽電池パネル１１と嵌合する嵌合部１２ａと、太
陽光を受光する側に位置するフレーム上面１２ｂと、フレーム上面１２ｂの裏面側に位置するフレーム下面１２ｃと、フレーム上面１２ｂおよびフレーム下面１２ｃを接続するフレーム側面１２ｄとを備えている。このようなフレーム１２は、アルミニウムを押し出し成形すること等により製造することができる。
【００２４】
＜架台＞
次に、図１，図３〜図７を用いて、太陽電池モジュール１０を屋根２へ固定する架台２１について詳述する。図１，図３に示すように、架台２１は屋根２に固定された雄ねじ部材２２と、雌ねじ部材２３と、雄ねじ部材２２上に屋根２から離隔して雌ねじ部材２３で固定された架台本体３０とを備えている。
【００２５】
＜雄ねじ部材＞
図３〜図５に示すように、雄ねじ部材２２の全体形状は棒状であって、その−ｚ軸方向における一端部（長手方向における一端部）を含む部位に第１雄ねじ部２２ａが形成されており、＋ｚ軸方向における他端部（長手方向における他端部）を含む部位に第２雄ねじ部２２ｂが形成されている。また、第１雄ねじ部２２ａと第２雄ねじ部２２ｂとの中間部に、ねじ山が形成されていない円筒部２２ｃが配置され、円筒部２２ｃのｚ軸方向の中間部には六角ボルトの頭部と略同形状の六角部２２ｄが設けられている。なお、円筒部２２ｃは中実の円柱状でもよい。
【００２６】
第１雄ねじ部２２ａは、例えば、相手部材に設けられた下穴にねじ込むことで、この相手部材に自ら雌ねじを切りながら締結できるタッピングねじのねじ山を有する。また、第１雄ねじ部２２ａの先端部は、相手部材を切削して締結するために切り刃先またはドリルねじなどにしている。第２雄ねじ部２２ｂは、雌ねじ部材２３と締結できるメートルねじまたはユニファイねじなどのねじ山を有する。円筒部２２ｃは、第１雄ねじ部２２ａと第２雄ねじ部２２ｂよりも直径が大きく、ねじ山が設けられていない部分である。六角部２２ｄは、円筒部２２ｃに設けられた六角ボルトの頭部に近似した部分であり、六角ボルトの規格を考慮して第２雄ねじ部２２ｂのねじ部の規格に対応する六角形状で形成されるとよい。
【００２７】
雄ねじ部材２２は、図３，図４に示すように、屋根２の主面に対して垂直に、第１雄ねじ部２２ａを屋根２のスレート波板２ｂの山部２ｂ１の頂部に設けられた挿通部２ｂ１１を挿通して構造材２ａに締結される。また、六角部２２ｄは、山部２ｂ１とｚ軸方向に沿って上側へ離隔して配置される。
【００２８】
このような雄ねじ部材２２は、クロムメッキまたは亜鉛等を用いた表面処理を施したステンレス鋼などを用いて形成することができる。
【００２９】
＜雌ねじ部材＞
雌ねじ部材２３は、第２雄ねじ部２２ｂと組んで使うことができるナットである。例えば、第２雄ねじ部にＭ８のねじ部が設けられている場合、雌ねじ部材２３はＭ８のナットとすることができる。
【００３０】
このような第２雌ねじ部材２３は、クロムメッキまたは亜鉛等を用いた表面処理などを施したステンレス鋼などを用いて形成することができる。
【００３１】
＜架台本体＞
図３，図４に示すように、架台本体３０は主に支持部材３１とレール部材３２と固定部材３３と係止部材３４とからなる。
【００３２】
支持部材３１は、雄ねじ部材２２に締結されていて、レール部材３２を支持する部材である。支持部材３１は、図３，図４，図６に示すように、上側へ開いた略Σ型の断面形状を有し、ｙ軸方向の長さはレール部材３２よりも短い。また図３（ａ）の断面図に示すように、支持部材３１は断面の中央部に上側へ向かって凹んだ凹状部３１ａを有する。凹状部３１ａの開口の幅は、第２雄ねじ部２２ｂの直径よりも大きく、六角部２２ｄの二面幅よりも小さい。
【００３３】
これにより、図３に示すように支持部材３１は、凹状部３１ａの入口である入口部３１ｂで六角部２２ｄにより支持される。なお、六角部２２ｄの上にワッシャーを載せる場合、凹状部３１ａの開口の幅はワッシャーよりも小さければよい。
【００３４】
また、凹状部３１ａは、その奥側に第２雄ねじ部２２ｂを挿通できる大きさの第１孔部３１ｃを有する。これにより支持部材３１は、六角部２２ｄと雌ねじ部材２３との間に挟持されて固定される。
【００３５】
前述のように、六角部２２ｄはスレート波板２ｂの山部２ｂ１からｚ軸方向に沿って上側へ離隔して配置されていることから、支持部材３１もスレート波板２ｂから上側に離隔して固定される。
【００３６】
また第１支持部材３１は、ｘ軸方向の両側の側壁３１ｄに、その上端からｚ軸方向へ長くＵ字型に切欠かれた第２孔部３１ｆと、ｚ軸方向へ凹凸を交互に配置した第１セレーション部３１ｅとを有する。さらに支持部材３１は、裏面３１ｇにスレート波板２ｂの山部２ｂ１の頂部と谷部２ｂ２の底部との間の部位を覆うスカート部３１ｈを有している。スカート部３１ｈが、スレート波板２ｂの挿通部２ｂ１１の周囲を広く覆うことから、挿通部２ｂ１１から屋内への雨水の吹き込みおよび雨漏りを防ぐことができる。
【００３７】
レール部材３２は、支持部材３１上に支持されて、太陽電池モジュール１０を下側から支持する部材である。レール部材３２は、図４に示すように下側へ向けて開口した略コ字型の断面形状を有し、太陽電池モジュール１０のｙ軸方向の長さのほぼ整数倍の長さを有する棒材である。レール部材３２は上面３２ａに入り口が奥側よりも狭い第１溝部３２ｂを有し、第１溝部３２ｂは第１ボルト３５ａの頭部を抜けないように係合することができる。同様にして、レール部材３２はｘ軸方向の両側の側面３２ｃに入り口が奥側よりも狭い第２溝部３２ｄを有し、第２ボルト３５ｂの頭部を抜けないように係合することができる。
【００３８】
固定部材３３は、レール部材３２上に太陽電池モジュール１０を挟持して固定する部材である。固定部材３３は、図３，図４に示すようにＬ字型または略ハット型の断面を有する。固定部材３３は、略中央に設けられた第２孔部３３ｂにおいて、第１ボルト３５ａおよび第１ナット３６ａによってレール部材３２の上面３２ａへ固定され、ｙ軸方向の両側に設けられた固定部３３ａにおいて、レール部材３２の上面３２ａで太陽電池モジュール１０のフレーム１２を挟持することによって、太陽電池モジュール１０を固定することができる。
【００３９】
係止部材３４は、レール部材３２を支持部材３１上に任意の高さで締結して固定する部材である。係止部材３４は板状の形状を有する。係止部材３４は、支持部材３１と対向する側の主面に支持部材３１の第１セレーション部３１ｅと係合することができる第２セレーション部３４ａを有する。また、係止部材３４は、その主面の略中央部に第３孔部３４ｂを有する。この第２セレーション部３４ａが支持部材３１の第１セレーション部３１ｅと任意の高さで係合しつつ、第２ボルト３５ｂの軸部がレール部材３２の第２溝部３２ｄと係止部材３４の第３孔部３４ｂを挿通して第２ナット３６ｂと締結されることによって、レール部材３２が支持部材３１上に任意の高さで固定されることができる。これにより、図７に示すようにｙ軸方向に複数のスレート波板２ｂが重ねられて、高低差がある屋根２にレール部材３２を施工性よく固定することができる。
【００４０】
このような支持部材３１とレール部材３２と固定部材３３と係止部材３４とは、例えばアルミニウム合金を押し出し成形によって形成することができる。
【００４１】
太陽電池アレイ１において、雄ねじ部材２２は、その一端にタッピンねじのねじ山をもつ第１雄ねじ部２２ａを有し、他端に雌ねじ部材２３と組み合わせ可能な第２雄ねじ部２２ｂを有する。そして、雄ねじ部材２２は、第１雄ねじ部２２ａを用いてスレート波板２ｂに設けた挿通部２ｂ１１に防水用のキャップ３７を介して挿通して、構造材２ａに雌ねじを切りつつ締結される。これにより、屋根材の吹き替えおよび屋内側からの作業なしに屋根２上から容易に取り付けることができる。
【００４２】
また、雄ねじ部材２２は、第２雄ねじ部２２ｂで架台本体３０をスレート波板２ｂから離隔して支持することができる。これにより、太陽電池アレイ１から構造材２ａへの荷重の流れは、太陽電池モジュール１０、架台本体３０、雄ねじ部材２２および構造材２ａの順となる。よって、太陽電池アレイ１からの荷重は、スレート波板２ｂに加わりにくくなる。
【００４３】
これにより、強度の低いスレート波板２ｂに加わる荷重を最小限まで抑制して屋根２の防水性能を保ちつつ、太陽電池アレイ１を屋根２に施工性よく設置することができる。
【００４４】
≪第２実施形態≫
次に、第２実施形態に係る太陽電池アレイ１Ａについて、図８を用いて説明する。
【００４５】
図８に示すように、第２実施形態の太陽電池アレイは、雄ねじ部材２２の長さにおいて、第１実施形態の太陽電池アレイと相違する。
【００４６】
例えば、構造材２ａがリップ溝形鋼などの溝形鋼のように上板部２ａ１と下板部２ａ２を有する場合、図８に示すように、第１雄ねじ部２２ａは構造材２ａの上板部２ａ１と下板部２ａ２とを挿通する長さを有してもよい。これにより、第１雄ねじ部２２ａが、構造材２ａの複数の板部への貫通部位を有することで、雄ねじ部材２２の長手方向に直交する方向へ加わる応力に対する固定強度が高まり、太陽電池アレイ１の固定強度を高めることができる。
【００４７】
≪第３実施形態≫
次に、第３実施形態に係る太陽電池アレイについて説明する。
【００４８】
図９に示すように、第３実施形態の太陽電池アレイは、雄ねじ部材２２の構造において、第１実施形態および第２実施形態の太陽電池アレイと相違する。
【００４９】
本実施形態においては、雄ねじ部材２２は、第１雄ねじ部２２ａと第２雄ねじ部２２ｂとの中間部に円筒部２２ｃのみを有する。そして、第１実施形態で示した六角部２２ｄは第１雄ねじ部材２２と別体であり、第１雌ねじ部材２３ａとしている。第１雌ねじ部材２３ａは第２雄ねじ部２２ｂと組み合わせることができる雌ねじを有する部材であり、例えば、ステンレスなどからなる六角ナットまたは板ナットなどを用いることができる。
【００５０】
これにより、第１雌ねじ部材２３ａを第２雄ねじ部２２ｂに沿ってｚ軸方向の位置を調整することによって、架台本体３０のｚ軸方向の高さを調整することができ、太陽電池ア
レイの施工性を高めることができる。また、第１雌ねじ部材２３ａを用いて高さの調整ができることから、支持部材３１の第１セレーション部３１ｅと係止部材３４の第２セレーション部３４ａを省略してもよい。
【００５１】
そして、第２雄ねじ部２２ｂに組み合わされた第１雌ねじ部材２３ａによって支持部材３１を支持し、第２雄ねじ部２２ｂに組み合わされた第２雌ねじ部材２３ｂ（不図示）によって第１雌ねじ部材２３ａとで支持部材３１を挟持して固定することができる。なお、第２雌ねじ部材２３ｂは、第１実施形態の雌ねじ部材２３と同様の部材にすることができる。
【００５２】
≪第４実施形態≫
次に、第４実施形態に係る太陽電池アレイについて、図１０を用いて説明する。
【００５３】
図１０に示すように、第４実施形態の太陽電池アレイは、雄ねじ部材２２の構造において、第１実施形態乃至第３実施形態の太陽電池アレイと相違する。
【００５４】
本実施形態において雄ねじ部材２２は、複数の部材からなる。より詳細に説明すると雄ねじ部材２２は、第１雄ねじ部２２ａと頭部２２ｅを有するタッピングネジ部材２２ｆと、頭部がない第２雄ねじ部２２ｂである長ねじボルト部材２２ｇと、タッピングネジ部材２２ｆと長ねじボルト部材２２ｇを連結する連結部材２２ｈとからなる。連結部材２２ｈは筒状の部材で内壁に第２雄ねじ部２２ｂと係合する雌ねじ部２２ｉが形成されており、連結部材２２ｈの一端は第１雄ねじ部２２ａが挿通可能で、頭部２２ｅが挿通できない第４孔部２２ｊが設けられている。このように雄ねじ部材２２は複数の部材から構成してもよい。
【００５５】
これにより、第１雄ねじ部２２ａの長さを構造材２ａやスレート波板２ｂの形状に応じて容易に変更することができることから、施工性を高めることができる。
【００５６】
以上、本発明に係る実施形態を例示したが、本発明は上述した実施形態に限定されるものではなく、例えば、支持部材とレール部材が一体化した架台に対して本発明を適用してもよいなど、本発明の目的を逸脱しない限り任意のものに適宜変更実施が可能であることはいうまでもない。
【符号の説明】
【００５７】
１：太陽電池アレイ
２：屋根
２ａ：構造材
２ａ１：上板部
２ａ２：下板部
２ｂ：スレート波板
２ｂ１：山部
２ｂ１１：挿通部
２ｂ２：谷部
１０：太陽電池モジュール
１１：太陽電池パネル
１１ａ：受光面
１１ｂ：非受光面
１２：フレーム
１２ａ：嵌合部
１２ｂ：フレーム上面
１２ｃ：フレーム下面
１２ｄ：フレーム側面
１３：透光性基板
１４：封止材
１５：インナーリード
１６：太陽電池素子
１７：裏面保護部材
１８：端子ボックス
２１：架台
２２：雄ねじ部材
２２ａ：第１雄ねじ部
２２ｂ：第２雄ねじ部
２２ｃ：円筒部
２２ｄ：六角部
２２ｅ：頭部
２２ｆ：タッピングネジ部材
２２ｇ：長ねじボルト部材
２２ｈ：連結部材
２２ｉ：雌ねじ部
２２ｊ：第４孔部
２３：雌ねじ部材
２３ａ：第１雌ねじ部材
２３ｂ：第２雌ねじ部材
３０：架台本体
３１：支持部材
３１ａ：凹状部
３１ｂ：入口部
３１ｃ：第１孔部
３１ｄ：側壁
３１ｅ：第１セレーション部
３１ｆ：第２孔部
３１ｇ：裏面
３１ｈ：スカート部
３２：レール部材
３２ａ：上面
３２ｂ：第１溝部
３２ｃ：側面
３２ｄ：第２溝部
３３：固定部材
３３ａ：固定部
３３ｂ：第２孔部
３４：係止部材
３４ａ：第２セレーション部
３４ｂ：第３孔部
３５：ボルト
３５ａ：第１ボルト
３５ｂ：第２ボルト
３６：ナット
３６ａ：第１ナット
３６ｂ：第２ナット
３７：キャップ
【図１】
2015028257.tif 000003
【図２】
2015028257.tif 000004
【図３】
2015028257.tif 000005
【図４】
2015028257.tif 000006
【図５】
2015028257.tif 000007
【図６】
2015028257.tif 000008
【図７】
2015028257.tif 000009
【図８】
2015028257.tif 000010
【図９】
2015028257.tif 000011
【図１０】
2015028257.tif 000012